(57)【要約】      （修正有）【課題】通信ネットワーク回線に接続される回線中継装置へ電力供給する電源側が停電した場合にでも、当該回線中継装置の機能を損なわない回線中継装置を提供すること。【解決手段】信号経路切替手段１４は、停電検出手段１６が電源側の停電を検出することにより、データ取得手段側の通信経路２０が切断されると共にリピータ１２（１３）側の通信経路１８（１９）が接続される切替スイッチ１４Ｂを備え、リピータ１２（１３）は、非常用電源１７から電力供給を受けることにより、ネットワーク回線側から伝送されるデータ信号Ｘを増幅するデータ信号増幅手段１２Ｂ（１３Ｂ）を備える。【選択図】  図１
2007324811.tif 000002
【特許請求の範囲】
【請求項１】
ネットワーク回線に接続される信号増幅手段を有するリピータと、このリピータに直列接続される信号経路とデータ取得手段側に接続される信号経路とを切替接続可能に設けられる信号経路切替手段と、この信号経路切替手段に電力を供給する電源側の停電を検出する停電検出手段と、前記電源側の停電の際に、前記リピータ側に電力供給する非常用電源とを具備し、
前記信号経路切替手段は、前記停電検出手段が前記電源側の停電を検出することにより、前記データ取得手段側の通信経路が切断されると共に前記リピータ側の通信経路が接続される切替スイッチを備え、
前記リピータは、前記非常用電源から電力供給を受けることにより、前記ネットワーク回線側から伝送されるデータ信号を増幅するデータ信号増幅手段を備えたことを特徴とする回線中継装置。
【請求項２】
上記リピータは、信号経路切替手段の後段側に接続されたことを特徴とする請求項１記載の回線中継装置。
【請求項３】
上記リピータは、信号経路切替手段の前段および後段に接続されたことを特徴とする請求項１記載の回線中継装置。
【請求項４】
ネットワーク回線に相互に所定の距離をおいて設けられる複数の回線中継装置と、前記ネットワーク回線が接続された道路監視センタとを具備し、
前記回線中継装置は、前記ネットワーク回線に接続される信号増幅手段を備えたリピータと、このリピータに直列に接続される信号経路切替手段と、この信号経路切替手段に信号経路を介して道路の路側に設けられる監視カメラと、前記信号経路切替手段に電力を供給する電源側の停電を検出する停電検出手段と、前記電源側の停電の際に、前記リピータ側に電力供給する非常用電源とを具備し、
前記信号経路切替手段は、前記停電検出手段が停電を検出することにより、記監視カメラ側の信号経路が切断されると共に、前記リピータに接続される前記信号経路切替手段の切替えスイッチを備え、
前記リピータは、前記非常用電源から電力供給を受けることにより、前記ネットワーク回線側から伝送されるデータ信号を増幅するデータ信号増幅手段を備えたことを特徴とする回線中継装置を使用した道路監視システム。
【請求項５】
上記回線中継装置は、信号経路切替手段の前段および後段側の少なくとも一方に接続されたことを特徴とする請求項４記載の回線中継装置を使用した道路監視システム。
【発明の詳細な説明】
【技術分野】
【０００１】
この発明は、高速道路や有料道路等の道路の路側に設けられる監視カメラ等に付属して設けられる光スイッチ等の回線中継装置に係るもので、特に、停電時にも対応可能にした回線中継装置および回線中継装置を使用した道路監視システムに関する。
【背景技術】
【０００２】
従来、この種の回線中継装置は、ファイバ通信網の中間に挿入された機器が停電等で動作できなくなった場合にその機器を切り離し、ファイバの通信路を確保するための自動切り離しがなされるようになっている。
【０００３】
従来の回線中継装置は、内部に複数の光ファイバ切替素子があり、停電時には分岐回路を切り離し、隣の通信機器と直接ファイバを接続するようになっており、通電時は逆に、分岐回線を有効に働かせるようにしたものが知られている（例えば、非特許献１参照）。
【０００４】
図４は、従来の光ファイバスイッチ（回線中継装置）１（非特許文献１）の概要を示す図である。図４に示す回線中継装置１は、データ信号Ｘを伝送する通信ネットワーク回線Ｎの中間位置に設けられ、通信ネットワークが形成されるようになっている。この回線中継装置１は、複数の送信側光スイッチＡ１およびＡ２，受信側光スイッチＢ１およびＢ２と、これらの４つの光スイッチＡ１およびＡ２，Ｂ１およびＢ２を切替接続する電圧異常監視回路２と、この電圧異常監視回路２にＡＣ電源フォトカプラ３を介して接続されるＡＣ電源４と、電圧異常監視回路２を作動させる独立した電源として設けられる電池５と、４つの光スイッチＡ１２，Ａ２２，Ｂ１２およびＢ２２のそれぞれが信号経路６Ａ，６Ｂ，６Ｃおよび６Ｄを介して図示しない通信装置に接続される光スイッチングハブ７とから構成される。また４つの光スイッチＡ１，Ａ２，Ｂ１およびＢ２には、それぞれＢ接点Ａ１３，Ｂ２３，Ｂ１３およびＢ２３をそれぞれ備えている。
【０００５】
電圧異常監視回路２は、ＡＣ電源４から供給される電力の電圧がゼロになった、例えば停電時に反応して４つの光スイッチＡ１，Ａ２，Ｂ１およびＢ２のＡ接点Ａ１２，Ａ２２，Ｂ１２およびＢ２２からＢ接点Ａ１３，Ａ２３，Ｂ１３およびＢ２３側へ切替える働きをなすものである。
【０００６】
電池５は、例えば数ボルト程度の電圧が得られるリチュウム電池等の電池が用いられる。光スイッチングハブ７は、例えば映像データ等の情報データを取得するために複数の端子部７Ａ〜７Ｃを有するものである。また、この光スイッチングハブ７には、図示しない信号増幅回路を備え、信号経路６Ａ，６Ｂ，６Ｃおよび６Ｄを介して通信ネットワーク回線Ｎ側へ送信できるようになっている。
【０００７】
このように、回線中継装置１によれば、回線中継装置１を起動させるに必要なＡＣ電源４の電圧がゼロとなった際、例えば停電になった場合に、この停電になった回線中継装置１を遮断させる一方で、通信ネットワーク回線Ｎは遮断させないようにすることができる。すなわち、４つの光スイッチＡ１，Ａ２，Ｂ１およびＢ２の各接点が切替わると、光スイッチングハブ７側への接続回路が遮断されると同時に通信ネットワーク回線Ｎが接続される。従って、回線中継装置１は、通信ネットワーク回線Ｎに接続して用いた場合に、停電になった際にはこの停電になった回線中継装置１を通信ネットワーク回線Ｎから離脱させることができ、他の回線中継装置１を含む通信ネットワーク回線に対して何ら悪影響を及ぼさない状態を維持しつつデータ信号Ｘを中継して伝送する中継装置機能を発揮させることができる。
【非特許文献１】２００４年１１月１日発行の技術文献「光ファイバスイッチ（回線中継装置）」（株式会社興和）
【発明の開示】
【発明が解決しようとする課題】
【０００８】
従来の回線中継装置１によれば、この回線中継装置１へ電力供給する電源側が停電になった際に、他の回線中継装置１を含む通信ネットワーク回線Ｎに対して何ら悪影響を及ぼさないものであるが、この停電になった回線中継装置１の前段側の回線中継装置１側から送信されるデータ信号Ｘは、停電になった回線中継装置１をそのまま通過して次段の回線中継装置１側に送信されることになる。
【０００９】
従って、停電になった回線中継装置１の前段側の回線中継装置１と、次段側の回線中継装置１との間が、例えば数Ｋメートル離間している場合には、通信ネットワーク回線に流れるデータ信号Ｘが減衰し、減衰率が大きい場合には、回線中継装置機能に支障が生じる虞があった。
【００１０】
本発明は、上記の事情に鑑みてなされたもので、通信ネットワーク回線Ｎに接続される複数の回線中継装置へ電力供給される電源側が停電した場合にでも、他の停電のない回線中継装置の働きに支障なくデータ信号Ｘを伝送できる回線中継装置を提供することを主な目的とする。
【００１１】
本発明の他の目的は、回線中継装置を、道路の路側に複数設置することにより、道路を走行する車両の監視に好適する回線中継装置を使用した道路監視システムを提供することを目的とする。
【課題を解決するための手段】
【００１２】
上記目的を達成するために、本発明によれば、ネットワーク回線に接続される信号増幅手段を有するリピータと、このリピータに直列接続される信号経路とデータ取得手段側に接続される信号経路とを切替接続可能に設けられる信号経路切替手段と、この信号経路切替手段に電力を供給する電源側の停電を検出する停電検出手段と、前記電源側の停電の際に、前記リピータ側に電力供給する非常用電源とを具備し、前記信号経路切替手段は、前記停電検出手段が前記電源側の停電を検出することにより、前記データ取得手段側の通信経路が切断されると共に前記リピータ側の通信経路が接続される切替スイッチを備え、前記リピータは、前記非常用電源から電力供給を受けることにより、前記ネットワーク回線側から伝送されるデータ信号を増幅するデータ信号増幅手段を備えたことを特徴とする回線中継装置を提供する。
【００１３】
上記目的を達成するために、本発明によれば、ネットワーク回線に相互に所定の距離をおいて設けられる複数の回線中継装置と、前記ネットワーク回線が接続された道路監視センタとを具備し、前記回線中継装置は、前記ネットワーク回線に接続される信号増幅手段を備えたリピータと、このリピータに直列に接続される信号経路切替手段と、この信号経路切替手段に信号経路を介して道路の路側に設けられる監視カメラと、前記信号経路切替手段に電力を供給する電源側の停電を検出する停電検出手段と、前記電源側の停電の際に、前記リピータ側に電力供給する非常用電源とを具備し、前記信号経路切替手段は、前記停電検出手段が停電を検出することにより、記監視カメラ側の信号経路が切断されると共に、前記リピータに接続される前記信号経路切替手段の切替えスイッチを備え、前記リピータは、前記非常用電源から電力供給を受けることにより、前記ネットワーク回線側から伝送されるデータ信号を増幅する信号増幅器を備えたことを特徴とする回線中継装置を使用した道路監視システムを提供する。
【発明の効果】
【００１４】
本発明によれば、特定の回線中継装置が停電により不作動状態になった場合にでも、送信（受信）するデータ信号を次段の回線中継装置側へ増幅して送信する機能を有するので、データ損失やデータの損傷等のデータ送信障害を防止することができる回線中継装置を提供することができる。
【００１５】
また、回線中継装置を道路の路側に複数設置することにより、道路上を走行する車両の監視データを取得して利用する道路監視用として好適する回線中継装置を使用した道路監視システムを提供することができる。
【発明を実施するための最良の形態】
【００１６】
本発明に係る回線中継装置の実施形態について、添付図面を参照して説明する。
【００１７】
図１は、本発明の回線中継装置１０の実施形態を示す概要図である。図２は、図１に示す回線中継装置１０に供給される電力の電圧が降下したりゼロになった場合（以下、停電という。）における状態を示す概要図である。
【００１８】
図１に示す回線中継装置１０は、例えばループ状に形成される通信ネットワーク回線１１の途中位置に、相互に所要の間隔をとって複数設置される。この回線中継装置１０は、通信ネットワーク回線１１上にあって、データ信号Ｘ（複数のデータ信号Ｘ１〜ＸＮの少なくとも１つ）を受信する側に接続されるネットワーク回線側（以下、前段側ネットワーク回線１１Ａという。）と、データ信号Ｘを送信する側に接続されると、ネットワーク回線１１側（以下、後段側ネットワーク回線１１Ｂという。）に回線接続される。回線中継装置１０は、前段側ネットワーク回線１１Ａに接続されるリピータ１２と、後段側ネットワーク回線１１Ｂに接続されるリピータ１３を備えている。各リピータ１２，１３間には、それぞれに直列に接続される信号経路切替手段１４が設けられる。また、信号経路切替手段１４等へ電力供給を行う図示しない電源からの電源回路１５を介して接続される停電検出手段１６と、この停電検出手段１６が停電を検出することにより、各リピータ１２，１３側へ電力供給する非常用電源１７とから構成される。
【００１９】
リピータ１２は、データ信号増幅手段１２Ｂと、このデータ信号増幅手段１２Ｂを短絡する短絡スイッチ１２Ａを備えている。この短絡スイッチ１２Ａは、停電検出手段１６が電源側の停電を検出することにより出力されるスイッチ信号Ｂを入力し、接点１２Ａ１を開放するものである。データ信号増幅手段１２Ｂは、短絡スイッチ１２Ａが開放することにより、データ信号Ｘを入力し、増幅して出力するものである。このリピータ１２は、前段側ネットワーク回線１１Ａ側からに入力したデータ信号Ｘを信号経路切替手段１４側へ出力できるように信号経路１８が設けられる。
【００２０】
リピータ１３は、リピータ１２と同様構成のもので、データ信号増幅手段１３Ｂと、このデータ信号増幅手段１３Ｂを短絡する短絡スイッチ１３Ａを備えている。この短絡スイッチ１３Ａは、停電検出手段１６が電源側の停電を検出することにより出力されるスイッチ信号Ｂを入力し、常閉接点１３Ａ１を開放するものである。データ信号増幅器１３Ｂは、短絡スイッチ１３Ａが開放することにより、データ信号Ｘを入力し、増幅して出力するものである。このリピータ１３は、信号経路切替手段１４を経由して出力されるデータ信号Ｘを信号経路１９を介して入力し、後段側ネットワーク回線１１Ｂ側へ出力できるように設けられる。
【００２１】
信号経路切替手段１４は、リピータ１２側に接続される信号経路１８に接続されるデータ信号増幅手段１４Ａと、このデータ信号増幅手段１４Ａからリピータ１３側に接続される信号経路１９に接続される切替スイッチ１４Ｂとを備えている。この信号経路切替手段１４は、図示しないデータ取得手段側からデータ信号Ｘ２を受信する信号経路２０が接続される。この切替スイッチ１４Ｂは、常閉接点１４Ｂ１と常開接点１４Ｂ２とを備えたダブル接点を備えたスイッチである。また、常開接点１４Ｂ２は、停電検出手段１６が作動した際に閉成し、常閉接点１４Ｂ１は、停電検出手段１６が作動した際に開放するように設けられる。更に、信号経路切替手段１４は、停電検出手段１６側から接点切替信号Ｙを入力することにより、切替スイッチ１４Ｂの各接点が切替接続されるようになっている。
【００２２】
停電検出手段１６は、電源側の停電を検出することにより、接点切替信号Ｙを生成して信号経路切替手段１４側へ出力するようになっている。接点切替信号Ｙを入力する信号経路切替手段１４は、切替スイッチ１４Ｂの常閉接点１４Ｂ１が切り替えられて開放すると共に、常開接点１４Ｂ２が閉じるようになっている。更に、停電検出手段１６は、接点切替信号Ｙの出力と同時に非常用電源１７側へ、非常用電源１７を起動させる起動信号Ｅを出力するようになっている。非常用電源１７は、非常用電源１７が起動した際に、各リピータ１２，１３のデータ信号増幅手段１２Ｂおよび１３Ｂが作動するように、所要の作動電力Ｗ、例えば数十Ｖ程度の電力供給をなすもので、リピータ１２，１３にそれぞれ伝送されるデータ信号Ｘを所定レベルまで増幅して出力可能に設けられる。
【００２３】
次に、回線中継装置１０の作用を図１および図２を参照して説明する。
【００２４】
図１に示すように、回線中継装置１０に対して、電源回路１５側から正常に電力供給がある場合、すなわち、電源側から通電状態にある場合、前段側ネットワーク回線１１Ａ側から送信されるデータ信号Ｘを受信した回線中継装置１０は、先ずリピータ１２がデータ信号Ｘを入力する。データ信号Ｘを入力したリピータ１２は、このデータ信号Ｘを、短絡スイッチ１２Ａ，信号経路１８を介して信号経路切替手段１４側に出力する。データ信号Ｘを入力した信号経路切替手段１４は、信号経路切替手段１４側に引き出された信号経路２０を介してデータ取得手段側から伝送されるデータ信号Ｘ２を加算（重畳）して入力する。入力されたデータ信号Ｘ（Ｘ１＋Ｘ２）は、所用の信号レベルまで増幅される。増幅されたデータ信号Ｘは、切替スイッチ１４Ｂの常閉接点１４Ｂ１を介してリピータ１３側に送信される。この増幅されたデータ信号Ｘを入力したリピータ１３は、常閉接点１３Ａ１を介して後段側ネットワーク回線１１Ｂ側へ伝送される。
【００２５】
ここで、電源側が停電した場合について説明する。
【００２６】
電源側が停電すると、電源側から電源回路１５を介して通電されていた信号経路切替手段１４への通電が停止し、信号経路２０に接続された図示しないデータ取得手段側からのデータ信号Ｘ（Ｘ１〜ＸＮの何れか）の入力が停止する。また図２に示すように、停電検出手段１６が停電状態を検出すると同時に、信号経路切替手段１４の切替スイッチ１４Ｂの常開接点１４Ｂ２および常閉接点１４Ｂ１が切替わる（図１で上方へ接点が移動する）。
【００２７】
図２は、図１に示す回線中継装置の停電時における状態を示す概要図である。図２に示すように、切替スイッチ１４Ｂの接点が切替わることにより、信号経路切替手段１４のデータ信号増幅手段１４Ａ側が回路上において短絡される。この結果、前段側ネットワーク回線１１Ａ側から伝送されたデータ信号Ｘは、リピータ１２のデータ信号増幅手段１２Ｂ、信号経路切替手段１４の切替スイッチ１４Ｂおよびリピータ１３のデータ信号増幅器１３Ｂを介して後段側ネットワーク回線１１Ｂ側へ伝送される。
【００２８】
また同時に、停電検出手段１６は、非常用電源起動信号Ｆを生成してリピータ１２のデータ信号増幅手段１２Ｂおよびリピータ１３のデータ信号増幅器１３Ｂに電力供給する。従って、信号経路切替手段１４の機能が停止する。一方、停電前まで入力していた前段側ネットワーク回線１１Ａ側から入力するデータ信号Ｘは、信号経路切替手段１４の切替スイッチ１４Ｂを介してリピータ１３側に出力される。そして、この際に、前段側ネットワーク回線１１Ａ側から伝送されたデータ信号Ａは、リピータ１２のデータ信号増幅手段１２Ｂおよびリピータ１３のデータ信号増幅手段１３Ｂにより所要の信号レベルまで増幅され、後段側ネットワーク回線１１Ｂ側に伝送される。
【００２９】
なお、回線中継装置１０の後段側の回線中継装置に送信され、上述した回線中継装置１０の作動と同様作動を繰り返して、ネットワーク回線１１上を伝送されるようになる。
【００３０】
回線中継装置１０によれば、ネットワーク回線１１に接続されるデータ信号増幅手段１２Ｂおよび１３Ｂを有するリピータ１２および１３と、このリピータ１２および１３に直列接続される信号経路１８および１９とデータ取得手段側に接続される信号経路２０とを切替接続可能に設けられる信号経路切替手段１４と、この信号経路切替手段１４に電力を供給する電源側の停電を検出する停電検出手段１６と、電源側の停電の際に、リピータ１２および１３側に電力供給する非常用電源１７とを具備し、信号経路切替手段１４は、停電検出手段１６が電源側の停電を検出することにより、データ取得手段側の通信経路２０が切断されると共にリピータ１２および１３側の通信経路１８および１９が接続される切替スイッチ１４Ｂを備え、リピータ１２および１３は、非常用電源１７から電力供給を受けることにより、ネットワーク回線１１側から伝送されるデータ信号Ｘを増幅するデータ信号増幅手段１２Ｂおよび１３Ｂを備えた構成であるから、回線中継装置１０の電源側が停電により不作動状態になった場合にでも、伝送されるデータ信号Ｘを増幅して次段の回線中継装置１０Ｃ側へ伝送する機能を有するので、前段の回線中継装置１０側から伝送されるデータ信号Ｘの信号レベルが減衰してデータ損失や劣化による伝送障害を防止することができる。
【００３１】
なお、回線中継装置１０によれば、信号経路切替手段１４に対してデータ信号Ａの入力側および出力側にリピータ１２および１３を設けた構成のものを例示したが、何れか一方のみを設けた構成であってもよい。更にまた、回線中継装置１０に接続されるネットワーク回線１１は、データ信号Ｘ１を前段側ネットワーク回線１１Ａ側から後段側ネットワーク回線１１Ｂ側へ伝送する場合を例示したが、逆方向に伝送することもできるし、更には双方向に伝送することも可能である。その場合、リピータ１２および１３に備えられるデータ信号増幅手段１２Ｂおよび１３Ｂは、双方向に流れるデータ信号Ｘに対して増幅機能を備えたものを採用すればよい。
【００３２】
次に、回線中継装置１０を使用した道路監視システム３０について図３を参照して説明する。
【００３３】
図３に示す回線中継装置１０を使用した道路監視システム３０は、例えば環状道路として設けられた道路３１の路側にほぼ等間隔に設置される複数の回線中継装置１０Ａ〜１０Ｎと、これらの複数の回線中継装置１０Ａ〜１０Ｎをループ状に接続するネットワーク回線１１と、複数の回線中継装置１０Ａ〜１０Ｎのそれぞれから信号経路２０が引き出され、この信号経路２０にそれぞれ接続される監視カメラ３２Ａ〜３２Ｎと、これらの監視カメラ３２Ａ〜３２Ｎにて得られた画像データを監視する道路監視センタ３４とから構成される。
【００３４】
道路３１の監視カメラ３２Ａ〜３２Ｎは、道路を走行する複数の車両Ｃ１〜ＣＮのスピードや渋滞状況を撮影して、その画像をデータ信号Ｘ１〜ＸＮとして生成し、それぞれの信号経路２０を介して、ネットワーク回線１１側へ伝送されるようになっている。
【００３５】
これらの監視カメラ３２Ａ〜３２Ｎは、路側において所定の設置間隔、例えば１０Ｋメートル間隔で設置される。なお、この所定の設置間隔は、データ信号Ｘ１〜ＸＮを回線中継装置１０Ａ〜１０Ｎのそれぞれにて一定の信号増幅レベルで増幅しつつ伝送する一方で、データ信号Ｘ１〜ＸＮの信号強度レベルを基準値以下に減衰させないことを考慮して決定する。すなわち、データ信号Ｘ１〜ＸＮを受信した道路監視センタ３４側において、表示装置３４Ａに画像として表示可能な信号強度レベルを基準値と定める。道路監視センタ３４は、道路３１を走行中の車両Ｃ１〜ＣＮの走行状態が含まれるデータ信号Ｘ１〜ＸＮを受信して、画像を表示する表示装置３４Ａが設けられる。
【００３６】
次に、回線中継装置１０を使用した道路監視システム３０の作用について説明する。
【００３７】
先ず、回線中継装置１０を使用した道路監視システム３０が正常に作動するように調整する。すなわち、道路監視センタ３４側にて、ネットワーク回線１１上に各監視カメラ３２Ａ〜３２Ｎが正常に作動し、当該監視カメラ３２Ａ〜３２Ｎ側から道路監視センタ３４側に走行車両Ｃ１〜ＣＮの十分な画像が表示されるよう別途点検手段により確認する。もし、十分な画像が得られなかった場合には、各回線中継装置１０の信号経路切替手段１４の増幅器１４Ｂの増幅レベルを調整する。
【００３８】
次に、道路３１を走行する車両Ｃ１〜ＣＮの監視を行う。すなわち、走行車両Ｃ１〜ＣＮが、各回線中継装置１０Ａ〜１０Ｎ何れか、例えば初段の回線中継装置１０Ａの監視カメラ３２Ａにて、例えば走行車両Ｃ１を撮像すると、この走行車両Ｃ１の画像をデータ信号Ｘ１として、次段の回線中継装置１０Ｂ側に伝送する。また、次段の回線中継装置１０Ｂ側において、その監視カメラ３２Ｂにて、例えば走行車両Ｃ２を撮像したとすると、回線中継装置１０Ｂは、走行車両Ｃ２の画像をデータ信号Ｘ２として生成し、前段の回線中継装置１０Ａ側から伝送された走行車両Ｃ１のデータ信号Ｘ１と重畳して、順次後段側の回線中継装置１０Ｃ〜１０Ｎ側へと伝送される。そして、最後の回線中継装置１０Ｎ側の走行車両ＣＮのデータ信号ＸＮが重畳されたデータ信号Ｘが道路監視センタ３４側にて受信する。データ信号Ｘを受信した道路監視センタ３４は、表示装置３４Ａにてデータ信号Ｘに含まれる複数のデータ信号Ｘ１〜ＸＮがそれぞれ静止画像あるいは動画像が表示される。道路監視センタ３４は、これらの表示されたデータ信号Ｘ（Ｘ１〜ＸＮ）に基づく走行車両Ｃ１〜ＣＮの取扱者にて監視し、取扱者は必要により所要の行動、例えば状況確認や予防対策をとることができる。
【００３９】
一方、道路監視センタ３４にて道路監視中において、回線中継装置１０Ａ〜１０Ｎの何れか、例えば回線中継装置１０Ｂの電源側が停電した場合について説明する。
【００４０】
回線中継装置１０Ｂの電源側が停電すると、図２に示すように、停電検出手段１６が作動して信号経路切替手段１４の切替スイッチ１４Ｂを作動させると同時に、リピータ１２および１３の短絡スイッチ１２Ａおよび１３Ａを作動させる。信号経路切替手段１４の切替スイッチ１４Ｂの常閉接点１４Ｂ１が開放すると共に、常開接点１４Ｂ２を閉成する。また、リピータ１２および１３の短絡スイッチ１２Ａおよび１３Ａの各常閉接点１２Ａ１および１３Ａ１が開放する。従って、リピータ１２のデータ信号増幅手段１２Ｂおよびリピータ１３のデータ信号増幅手段１３Ｂを含む回路が閉成する。
【００４１】
このように、切替スイッチ１４Ｂを作動させることにより、信号経路切替手段１４がネットワーク回線１１から切り離されると同時にリピータ１２および１３のデータ信号増幅手段１２Ｂおよび１３Ｂを含むネットワーク回線１１が構成される。これにより、回線中継装置１０Ｂの各リピータ１２および１３は、ネットワーク回線１１に伝送される前段の回線中継装置１０Ａ側から伝送されるデータ信号Ｘ１の信号レベルを、各リピータ１２および１３のデータ信号増幅手段１２Ｂおよび１３Ｂにより所定の信号強度を有するレベルまで増幅する。
【００４２】
このように、回線中継装置１０Ｂにおける信号経路２０側からのデータ信号Ｘ２の伝送をキャンセルする一方で、データ信号Ｘ１，Ｘ３〜ＸＮを重畳したデータ信号Ｘが、道路監視センタ３４側に伝送されて道路監視センタ３４の表示装置３４Ａに画像として表示される。
【００４３】
回線中継装置１０を使用した道路監視システム３０によれば、ネットワーク回線１１に相互に所定の距離をおいて設けられる複数の回線中継装置１０と、ネットワーク回線１１が接続された道路監視センタ３４とを具備し、回線中継装置１０は、ネットワーク回線１１に接続されるデータ信号増幅手段１２Ｂを備えたリピータ１２および１３と、このリピータ１２および１３に直列に接続される信号経路切替手段１４と、この信号経路切替手段１４に信号経路２０を介して道路３１の路側に設けられる監視カメラ３２Ａ〜３２Ｎと、信号経路切替手段１４に電力を供給する電源側の停電を検出する停電検出手段１６と、電源側の停電の際に、リピータ１２および１３側に電力供給する非常用電源１７とを具備し、信号経路切替手段１４は、停電検出手段１６が停電を検出することにより、監視カメラ３２Ａ〜３２側の信号経路２０が切断されると共に、リピータ１２および１３に接続される信号経路切替手段１４の切替スイッチ１４Ｂを備え、リピータ１２および１３は、非常用電源１６から電力供給を受けることにより、ネットワーク回線１１側から伝送されるデータ信号Ｘを増幅するデータ信号増幅手段１２Ｂおよび１３Ｂを備えた構成にしたことにより、回線中継装置１０Ａ〜１０Ｎへの供給電源の少なくとも１つが停電により不作動になった場合にでも、その停電した回線中継装置１０が中継するデータ信号Ｘ１〜ＸＮの少なくとも１つを増幅させて次段の回線中継装置１０側へ伝送させることを可能にしたから、道路３１の路側に設置される複数の回線中継装置１０の設置間隔は、停電によるデータ信号Ｘの減衰を考慮する必要はなく、停電した回線中継装置１０に対する非常電源の補完により、回線中継装置１０の設置間隔をできるだけ大きくとることができる。
【００４４】
従って、道路３１の路側に設置される回線中継装置１０の設置数を、各回線中継装置１０それぞれの固有の画像データを含むデータ信号伝送能力に応じて、各回線中継装置１０の相互間をそれぞれ最大限の間隔を置いて設置することができるので、回線中継装置１０設置コストをより最少限度にすることができる。
【図面の簡単な説明】
【００４５】
【図１】本発明の回線中継装置の実施形態を示す概要図。
【図２】図１に示す回線中継装置の停電時における状態を示す概要図。
【図３】本発明の回線中継装置を使用した道路監視システムの概要を示す図。
【図４】従来の回線中継装置を示す概要図。
【符号の説明】
【００４６】
１０，１０Ａ〜１０Ｎ  回線中継装置
１１  ネットワーク回線
１１Ａ  前段側ネットワーク回線
１１Ｂ  後段側ネットワーク回線
１２，１３  リピータ
１２Ａ，１３Ａ  短絡スイッチ
１２Ｂ，１３Ｂ，１４Ａ  データ信号増幅手段
１４  信号経路切替手段
１４Ｂ  切替スイッチ
１４Ｂ２  常開接点
１２Ａ１，１３Ａ１，１４Ｂ１  常閉接点
１５  電源回路
１６  停電検出手段
１７  非常用電源
１８〜２０  信号経路
３０  道路監視システム
３１  道路
３２Ａ〜３２Ｎ  監視カメラ
３４  道路監視センタ
３４Ａ  表示装置
Ｂ  スイッチ信号
Ｃ１〜ＣＮ  走行車両
Ｅ  起動信号
Ｗ  作動電力
Ｘ（Ｘ１〜ＸＮ）  データ信号
Ｙ  接点切替信号
【図１】
2007324811.tif 000003
【図２】
2007324811.tif 000004
【図３】
2007324811.tif 000005
【図４】
2007324811.tif 000006